(57)【特許請求の範囲】
【請求項１】
アルミニウムまたはアルミニウム合金からなる一対のヘッダー集合管（１１ａ，１１ｂ）及びこのヘッダー集合管（１１ａ，１１ｂ）間に接続された複数の伝熱管（１２）を有する熱交換器（１０）を備える室外機であって、
前記熱交換器（１０）と、
前記熱交換器（１０）を収容するとともに、その外部から前記熱交換器（１０）側へ空気を取り込む吸気口（２１ａ，２１ｂ）を有する筐体（２０）と、
前記吸気口（２１ａ，２１ｂ）と前記ヘッダー集合管（１１ａ，１１ｂ）との間に設けられて前記吸気口（２１ａ，２１ｂ）から取り込まれた気流が前記ヘッダー集合管（１１ａ，１１ｂ）に到達するのを遮る形状を有する遮蔽部材（３０）とを有し、
前記ヘッダー集合管（１１ａ，１１ｂ）は、一方向に長い形状を有しており、
前記遮蔽部材（３０）は、前記ヘッダー集合管（１１ａ，１１ｂ）の長手方向の全域にわたって前記ヘッダー集合管（１１ａ，１１ｂ）の外周面を部分的に取り囲む形状の囲繞部（３１）を含み、
前記囲繞部（３１）は、前記気流を遮るように前記ヘッダー集合管（１１ａ，１１ｂ）に近接配置されており、
前記ヘッダー集合管（１１ａ，１１ｂ）の外周面のうち前記囲繞部（３１）により取り囲まれる部分以外の一部を取り囲む形状の保護部（４１）を有する保護部材（４０）をさらに有し、
前記保護部（４１）は、前記ヘッダー集合管（１１ａ，１１ｂ）の外周面のうち前記気流の下流側の部位を被覆する位置に配置されている室外機。
【請求項２】
請求項１に記載の室外機において、
前記保護部（４１）は、前記吸気口（２１ａ，２１ｂ）と前記ヘッダー集合管（１１ａ，１１ｂ）とを結ぶ方向について、前記ヘッダー集合管（１１ａ，１１ｂ）を基準として前記囲繞部（３１）と反対側に配置されている室外機。
【請求項３】
請求項１又は２に記載の室外機において、
前記囲繞部（３１）は、前記ヘッダー集合管（１１ａ，１１ｂ）の長手方向と平行な平面のうち所定の第１平面を含む第１平面部（３２）と、この第１平面部（３２）とつながっているとともに、前記ヘッダー集合管（１１ａ，１１ｂ）の長手方向と平行な平面のうち前記第１平面と所定角度をなす第２平面を含む第２平面部（３３）とを有する室外機。
【請求項４】
請求項１ないし３のいずれか１項に記載の室外機において、
前記複数の伝熱管（１２）は、それぞれ扁平な形状を有しており、
前記遮蔽部材（３０）は、各伝熱管（１２）間のそれぞれの隙間に挿入可能な形状の櫛歯部を有し、この櫛歯部が前記隙間に挿入されている室外機。
【請求項５】
請求項１ないし４のいずれか１項に記載の室外機において、
前記遮蔽部材（３０）は、前記筐体（２０）に設けられた固定部に取り付け可能な取付部（３７）を有する室外機。
【発明の詳細な説明】
【技術分野】
【０００１】
本発明は、アルミニウムまたはアルミニウム合金からなる熱交換器を備える室外機に関するものである。
【背景技術】
【０００２】
従来、空気調和機における室外機として、アルミニウムまたはアルミニウム合金からなるヘッダー集合管を有する熱交換器を備えるものが知られている。例えば特許文献１には、アルミニウムまたはアルミニウム合金からなる一対のヘッダー集合管及びこのヘッダー集合管間に接続された複数の伝熱管を有する熱交換器と、この熱交換器を収容する筐体とを備え、筐体は、その外部から前記熱交換器側へ空気を取り込む吸気口を有し、前記熱交換器は、前記吸気口から取り込まれる空気と熱交換可能な位置に配置された室外機が開示されている。ここで、一対のヘッダー集合管は、その一方は、当該ヘッダー集合管に流入した冷媒を、当該ヘッダー集合管に接続された複数の伝熱管内に分配させて他方のヘッダー集合管側へ送るものであり、他方のヘッダー集合管は、その分配された冷媒を集合させるものである。
【先行技術文献】
【特許文献】
【０００３】
【特許文献１】特開２０１１−１４５０２９号公報
【発明の概要】
【発明が解決しようとする課題】
【０００４】
上記文献１に記載されるようなアルミニウムまたはアルミニウム合金からなるヘッダー集合管を有する熱交換器を備える室外機は、その使用環境によっては、ヘッダー集合管に塩害による腐食が発生する場合があり、この場合にはその対策が求められる。しかしながら、上記文献１には、ヘッダー集合管に対して塩害対策を施すことについて何ら記載されていない。
【０００５】
この発明は、上記のような課題を解決するためになされたものであり、アルミニウムまたはアルミニウム合金からなる熱交換器を備える室外機において、熱交換器におけるヘッダー集合管への塩害による腐食の発生を抑制することを目的とする。
【課題を解決するための手段】
【０００６】
前記課題を解決するための手段として、本発明は、アルミニウムまたはアルミニウム合金からなる一対のヘッダー集合管及びこのヘッダー集合管間に接続された複数の伝熱管を有する熱交換器を備える室外機であって、前記熱交換器と、前記熱交換器を収容するとともに、その外部から前記熱交換器側へ空気を取り込む吸気口を有する筐体と、前記吸気口と前記ヘッダー集合管との間に設けられて前記吸気口から取り込まれた気流が前記ヘッダー集合管に到達するのを遮る形状を有する遮蔽部材とを有する室外機を提供する。
【０００７】
この発明の室外機は、筐体における吸気口とヘッダー集合管との間に、吸気口から取り込まれた気流がヘッダー集合管に到達するのを遮る形状の遮蔽部材を有しているので、筐体の外部から吸気口を通してヘッダー集合管へ向かう気流が遮蔽部材により遮られ、ヘッダー集合管への塩害による腐食の発生を抑制することができる。
【０００８】
この場合において、前記ヘッダー集合管は、一方向に長い形状を有しており、前記遮蔽部材は、前記ヘッダー集合管の長手方向の全域にわたって前記ヘッダー集合管の外周面を部分的に取り囲む形状の囲繞部を含み、前記囲繞部は、前記気流を遮るように前記ヘッダー集合管に近接配置されることが好ましい。
【０００９】
このようにすれば、遮蔽部材は、吸気口から取り込まれた気流がヘッダー集合管に到達するのを一層遮ることができる。具体的に、遮蔽部材の囲繞部は、ヘッダー集合管の長手方向の全域にわたって、ヘッダー集合管に近接した位置で当該ヘッダー集合管に向かう気流を遮るようにその周囲を部分的に取り囲むので、筐体の外部から内部へ取り込まれた空気がヘッダー集合管に到達することが抑制される。その結果、ヘッダー集合管に塩害による腐食が発生することが一層抑制される。
【００１０】
さらにこの場合において、前記囲繞部は、前記ヘッダー集合管の長手方向と平行な平面のうち所定の第１平面を含む第１平面部と、この第１平面部とつながっているとともに、前記ヘッダー集合管の長手方向と平行な平面のうち前記第１平面と所定角度をなす第２平面を含む第２平面部とを有することが好ましい。
【００１１】
このようにすれば、囲繞部は、第１平面部と第２平面部との異なる二面でヘッダー集合管を取り囲むので、吸気口からヘッダー集合管の外周面における吸気口側を向いた部分に向かう気流を効率的に遮ることができる。
【００１２】
また、本発明において、前記ヘッダー集合管の外周面における前記囲繞部により取り囲まれる部分以外の一部を取り囲む形状の保護部を有する保護部材をさらに有することが好ましい。
【００１３】
このようにすれば、ヘッダー集合管の外周面をより多く保護することができる。
【００１４】
また、本発明において、前記複数の伝熱管は、それぞれ扁平な形状を有しており、前記遮蔽部材は、各伝熱管間のそれぞれの隙間に挿入可能な形状の櫛歯部を有し、この櫛歯部が前記隙間に挿入されていることが好ましい。
【００１５】
このようにすれば、ヘッダー集合管における伝熱管が接続されている側に向かう気流は、櫛歯部により遮られるので、ヘッダー集合管に塩害による腐食が発生することが一層抑制される。
【００１６】
また、本発明において、前記遮蔽部材は、前記筐体に設けられた固定部に取り付け可能な取付部を有することが好ましい。
【００１７】
このようにすれば、取付部を固定部に取り付けるだけで、遮蔽部材を筐体に取り付けることができる。
【発明の効果】
【００１８】
以上のように、本発明によれば、アルミニウムまたはアルミニウム合金からなる熱交換器を備える室外機において、熱交換器におけるヘッダー集合管への塩害による腐食の発生を抑制することができる。
【図面の簡単な説明】
【００１９】
【図１】本発明の一実施形態の室外機の筐体を省略した状態の斜視図である。
【図２】図１に示す熱交換器の概要を示す斜視図である。
【図３】本発明の一実施形態の室外機の概要を説明する平面図である。
【図４】図１に示す室外機における熱交換器の要部を拡大した斜視図である。
【図５】図１に示す室外機における熱交換器の要部を拡大した斜視図である。
【図６】図１に示す室外機における熱交換器の要部を拡大した側面図である。
【図７】第一実施形態の室外機の変形例の概要を説明する平面図である。
【図８】図７の変形例とは異なる変形例の概要を説明する平面図である。
【発明を実施するための形態】
【００２０】
本発明の好ましい実施形態について、図１ないし図６を参照しながら説明する。図３は、後述する熱交換器１０、天板を省略した筐体２０及び送風機６０の配置のみを示している。図５では、後述する複数のフィン１３を省略しており、図２を除いたその他の図における各フィン１３は、その詳細を省略し全体の外形のみを示している。なお、図５では、説明のために、後述する遮蔽部材３０を一部破断した状態を示している。
【００２１】
本実施形態における室外機は、熱交換器１０と、この熱交換器１０を収容する筐体（ケーシング）２０と、遮蔽部材３０とを備える。この室外機は、さらに、保護部材４０、熱交換器１０が載置される底板５０、送風機６０、仕切板７０、そして、図示しない圧縮機や制御盤等を備える。なお、仕切板７０は、送風機６０が配置される送風室と、圧縮機や制御盤等が配置される機械室とを仕切るものである。
【００２２】
熱交換器１０は、図２に示すように、一対のヘッダー集合管１１ａ，１１ｂと、このヘッダー集合管１１ａ，１１ｂ間に接続された複数の伝熱管１２と、各伝熱管１２に接するように設けられた複数のフィン１３とを有する。これら一対のヘッダー集合管１１ａ，１１ｂ、複数の伝熱管１２及び複数のフィン１３は、すべてアルミニウムまたはアルミニウム合金からなる。なお、複数の伝熱管１２及び複数のフィン１３は、アルミニウムまたはアルミニウム合金からなるものに限定されない。
【００２３】
一対のヘッダー集合管１１ａ，１１ｂは、熱交換器１０の一端側に配置される第１ヘッダー集合管１１ａと、熱交換器１０の他端に配置される第２ヘッダー集合管１１ｂとからなり、各ヘッダー集合管１１ａ，１１ｂは、一方向（図１における上下方向）に長い形状を有する。これら一対のヘッダー集合管１１ａ，１１ｂは、その長手方向が垂直となるようにそれぞれ底板５０上に載置される。第１ヘッダー集合管１１ａは、当該第１ヘッダー集合管１１ａに流入した冷媒を、当該第１ヘッダー集合管１１ａに接続された複数の伝熱管１２内に分配させて第２ヘッダー集合管１１ｂ側へ送る。第２ヘッダー集合管１１ｂは、その分配された冷媒を集合させる。なお、本実施形態では、一対のヘッダー集合管１１ａ，１１ｂは、いずれも円筒状である。
【００２４】
各伝熱管１２は、所定間隔をもって上下方向に並ぶように配置されて各ヘッダー集合管１１ａ，１１ｂに接続されており、その内部を冷媒が流通する。図２や図５に示すように、各伝熱管１２は、厚み、すなわち、その並び方向の寸法がその幅方向の寸法よりも小さい扁平形状を有する。本実施形態では、各伝熱管１２は、上面視略Ｌ字形状であり、その長辺部分が背面側（図３における上側）に、その短辺部分が側面側（図３における左側）に位置するように底板５０に載置される。これら各伝熱管１２には、その長手方向に沿って並ぶように複数のフィン１３が設けられる。そして、図２、図３、図５及び図６に示すように、各伝熱管１２は、第１ヘッダー集合管１１ａと当該第１ヘッダー集合管１１ａに最も近接した位置に設けられたフィン１３との間、及び、第２ヘッダー集合管１１ｂと当該第２ヘッダー集合管１１ｂに最も近接した位置に設けられたフィン１３との間に、その表面が露出した露出部１２ａを有する。各露出部１２ａの表面積は、各伝熱管１２における互いに隣接するフィン１３間の露出部分のそれぞれの表面積に比べて大きい。
【００２５】
各フィン１３は、それぞれ薄板状であり、各伝熱管１２に対して当該フィン１３がその側方から差し込めるように、各伝熱管１２を受け入れ可能な形状の複数の切り欠きを有する。具体的に、これらフィン１３の切り欠きの形状は、伝熱管１２の断面の外形にほぼ一致している。
【００２６】
筐体２０は、底面が開口した箱形であり、その下端縁が底板５０の周縁部に接続される。これにより、熱交換器１０や送風機６０等がすべて収容される。この筐体２０は、その外部から熱交換器１０側に向けて空気を取り込む吸気口を有する。吸気口は、背面側吸気口２１ａと側面側吸気口２１ｂとからなる。背面側吸気口２１ａは、各伝熱管１２における長辺部分及びこの部分に設けられたフィン１３に外気を供給可能な形状を有する。側面側吸気口２１ｂは、各伝熱管１２における短辺部分及びこの部分に設けられたフィン１３に外気を供給可能な形状を有する。例えば、各吸気口２１ａ，２１ｂとしては、複数のスリットからなるものや、格子状の開口が挙げられる。
【００２７】
遮蔽部材３０は、各吸気口２１ａ，２１ｂから取り込まれた気流が、各ヘッダー集合管１１ａ，１１ｂ及び各露出部１２ａに到達するのを遮る形状を有する。この遮蔽部材３０は、背面側吸気口２１ａと第１ヘッダー集合管１１ａとの間、及び、側面側吸気口２１ｂと第２ヘッダー集合管１１ｂとの間にそれぞれ設けられる。各遮蔽部材３０は、各ヘッダー集合管１１ａ，１１ｂに近接配置されることがより好ましい。
【００２８】
具体的に、遮蔽部材３０は、各ヘッダー集合管１１ａ，１１ｂの長手方向の全域にわたって、当該ヘッダー集合管１１ａ，１１ｂを部分的に取り囲む形状の囲繞部３１を有する。図１、図４及び図５に示すように、この囲繞部３１は、第１平面部３２と第２平面部３３とを含む。第１平面部３２は、各ヘッダー集合管１１ａ，１１ｂの長手方向と平行な平面のうち、最もヘッダー集合管１１ａ，１１ｂ寄りに設けられたフィン１３とヘッダー集合管１１ａ，１１ｂとの間を通る第１平面を含む。第２平面部３３は、第１平面部３２とつながっているとともに、各ヘッダー集合管１１ａ，１１ｂの長手方向と平行な平面のうち、ヘッダー集合管１１ａ，１１ｂと筐体２０との間を通る第２平面を含む。本実施形態では、第１平面部３２と第２平面部３３とは直交するようにつながっているが、両者のなす角は９０度に限られない。また、この遮蔽部材３０は、第１平面が、ヘッダー集合管１１ａ，１１ｂから伝熱管１２の延びる方向と直交する平面に平行となり、第２平面が、ヘッダー集合管１１ａ，１１ｂから伝熱管１２の延びる方向の平面と平行となるように配置されているが、第１平面部３２がヘッダー集合管１１ａ，１１ｂとフィン１３との間に位置し、第２平面部３３がヘッダー集合管１１ａ，１１ｂと筐体２０との間に位置するのであれば、当該遮蔽部材３０は、ヘッダー集合管１１ａ，１１ｂの軸回りに多少回転されて配置されてもよい。なお、本実施形態では、囲繞部３１が第１平面部３２と第２平面部３３とを有する例について示したが、この囲繞部３１としては、ヘッダー集合管１１ａ，１１ｂを部分的に取り囲む形状であればよいため、その形状は上記平面部を有するものに限らず、例えば湾曲形状のものであってもよい。
【００２９】
図５に示すように、第１平面部３２は、上面被覆部３４と、図示しない下面被覆部と、連結部３５と、櫛歯部とを有する。上面被覆部３４は、複数の伝熱管１２のうち最も上部に位置する第１伝熱管における露出部１２ａの上面の少なくとも一部を被覆可能な形状を有する。そして、この上面被覆部３４は、第１伝熱管における露出部１２ａの上面に近接配置される。下面被覆部は、複数の伝熱管１２のうち最も下部に位置する第２伝熱管における露出部１２ａの下面の少なくとも一部を被覆可能な形状を有する。そして、この下面被覆部は、第２伝熱管における露出部１２ａの下面に近接配置される。連結部３５は、上面被覆部３４と下面被覆部とを連結しており、各伝熱管１２の露出部１２ａにおける吸気口側を向いた部分に近接配置される。櫛歯部は、複数の櫛歯３６からなり、連結部３５から延びるように当該連結部３５と一体的に設けられている。各櫛歯３６は、上面被覆部３４と下面被覆部との間であって、各伝熱管１２間のそれぞれの隙間に挿入可能な位置に設けられている。各櫛歯３６は、当該櫛歯３６を上下方向から挟む一対の伝熱管１２の露出部１２ａのうち、当該櫛歯３６に面する部分の少なくとも一部をそれぞれ被覆可能な形状を有する。そして、この櫛歯部は、各伝熱管１２の隙間に挿入される。また、各櫛歯３６は、一方向に長く、かつ、連結部３５に連結されている側よりも先端の方が細くなった先細形状を有する。
【００３０】
ここで、第２ヘッダー集合管１１ｂ側に配置された遮蔽部材３０の上面被覆部３４、下面被覆部及び櫛歯部は、それぞれその長手方向の寸法が、各伝熱管１２の幅寸法と略同一又はそれより大きく設定されている。それにより、当該上面被覆部３４は、第１伝熱管における露出部１２ａの上面をすべて被覆可能であり、当該下面被覆部は、第２伝熱管における露出部１２ａの下面をすべて被覆可能であり、当該櫛歯部は、伝熱管１２の露出部１２ａのうち、各櫛歯３６に面する部分をすべて被覆可能となっている。
【００３１】
第２平面部３３は、各ヘッダー集合管１１ａ，１１ｂにおける筐体２０に面する側を被覆するように配置される。この第２平面部３３は、筐体２０、底板５０、あるいは、仕切板７０に設けられた図示しない固定部に取り付け可能な取付部３７を有する。なお、この取付部３７は、第１平面部３２に設けられてもよい。
【００３２】
保護部材４０は、第１ヘッダー集合管１１ａにおける空気流れの下流側の部位を保護するものである。なお、この保護部材４０は、省略されてもよく、また、第２ヘッダー集合管１１ｂ側に設けられてもよい。この保護部材４０は、遮蔽部材３０と対を成す形状を有しており、例えば、第１ヘッダー集合管１１ａを部分的に取り囲む形状の保護部４１を有する。保護部４１は、囲繞部３１と対を成す部分であり、ヘッダー集合管１１ａの外周面における囲繞部３１により取り囲まれる部分以外の一部を取り囲む形状を有する。そして、上面被覆部３４と保護部４１における上面被覆部３４と対をなす部分とにより、第１伝熱管における露出部１２ａの上面をすべて被覆し、下面被覆部と保護部４１における下面被覆部と対をなす部分とにより、第２伝熱管における露出部１２ａの下面をすべて被覆し、櫛歯部と保護部４１における櫛歯部と対をなす部分とにより、伝熱管１２の露出部１２ａのうち、各櫛歯３６に面する部分をすべて被覆可能となっている。なお、遮蔽部材３０と保護部材４０とは、分割可能な構造ではなく、一体とされたものでもよい。
【００３３】
以上のように、本実施形態の室外機は、筐体２０における吸気口と各ヘッダー集合管１１ａ，１１ｂとの間に遮蔽部材３０を有するので、送風機６０が作動して筐体２０の各吸気口から外気が取り込まれたとしても、各吸気口を通して各ヘッダー集合管１１ａ，１１ｂへ向かう気流は当該遮蔽部材３０により遮られる。よって、各ヘッダー集合管１１ａ，１１ｂに、塩害による腐食が発生することを抑制することができる。
【００３４】
また、本実施形態では、遮蔽部材３０の囲繞部３１は、各ヘッダー集合管１１ａ，１１ｂの長手方向の全域にわたって、各ヘッダー集合管１１ａ，１１ｂに近接した位置で当該ヘッダー集合管１１ａ，１１ｂに向かう気流を遮るようにその周囲を部分的に取り囲むので、筐体２０の外部から内部へ取り込まれた空気がヘッダー集合管１１ａ，１１ｂに到達することが一層抑制される。
【００３５】
さらに、本実施形態では、遮蔽部材３０は、各伝熱管１２間のそれぞれの隙間に挿入可能な形状の櫛歯部を有し、この櫛歯部が前記隙間に挿入されている。よって、各ヘッダー集合管１１ａ，１１ｂにおける伝熱管１２が接続されている側に向かう気流は、櫛歯部により遮られるので、各ヘッダー集合管１１ａ，１１ｂに塩害による腐食が発生することがさらに抑制される。
【００３６】
また、本実施形態の室外機は、筐体２０における各吸気口２１ａ，２１ｂと伝熱管１２における露出部１２ａとの間に、各吸気口２１ａ，２１ｂから取り込まれた気流が露出部１２ａに到達するのを遮る形状の遮蔽部材３０を備えているので、送風機６０が作動して筐体２０の各吸気口２１ａ，２１ｂから外気が取り込まれたとしても、各吸気口２１ａ，２１ｂを通して露出部１２ａへ向かう気流は当該遮蔽部材３０により遮られる。よって、筐体２０の外部から内部へ取り込まれた空気が各伝熱管１２の露出部１２ａに到達することが抑制される。その結果、伝熱管１２への塩害による腐食の発生を抑制することができ、さらに、筐体２０の外部から取り込まれた空気が露出部１２ａをバイパスして流れることが抑制されるので、熱交換器１０における熱交換効率の低下を抑制することができる。
【００３７】
また、本実施形態では、遮蔽部材３０は、その上面被覆部３４が第１伝熱管における露出部１２ａの上面に近接配置され、その下面被覆部が第２伝熱管における露出部１２ａの下面に近接配置され、その連結部３５が各伝熱管１２の露出部１２ａにおける吸気口側を向いた部分に近接配置されるので、全ての伝熱管１２の露出部１２ａに向かう気流を効果的に遮ることができ、これにより筐体２０の外部から内部へ取り込まれた空気が各伝熱管１２の露出部１２ａに到達することが一層抑制される。
【００３８】
さらに、本実施形態では、遮蔽部材３０は、上面被覆部３４と下面被覆部との間に複数の櫛歯３６を有し、各櫛歯３６が各伝熱管１２間のそれぞれの隙間に挿入されている。各櫛歯３６は、当該櫛歯３６を上下方向から挟む一対の伝熱管１２の露出部１２ａのうち、当該櫛歯３６に面する部分の少なくとも一部を覆うので、伝熱管１２への塩害による腐食の発生がさらに抑制される。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
例えば、上記実施形態では、各遮蔽部材３０が、その囲繞部３１が各ヘッダー集合管１１ａ，１１ｂに近接配置された例について示したが、当該遮蔽部材３０としては、各吸気口２１ａ，２１ｂから取り込まれた気流が、各ヘッダー集合管１１ａ，１１ｂに到達するのを遮ることが可能であればよく、各吸気口におけるヘッダー集合管側の端部と当該ヘッダー集合管とを結ぶ直線と直交する平面を有する形状であって、各吸気口におけるヘッダー集合管側の端部と当該ヘッダー集合管または露出部１２ａとの間に配置されるものであってもよい。
【００４１】
また、上記実施形態では、遮蔽部材３０が、第１平面部３２と第２平面部３３とを含む囲繞部３１を有する例について示したが、この囲繞部３１における第２平面部３３、あるいは、第１平面部３２のいずれか一方は、省略することができる。具体的には、図７に示すように、第１ヘッダー集合管１１ａが、背面側吸気口２１ａにおける第１ヘッダー集合管１１ａ側の端部よりも、側面側吸気口２１ｂが設けられていない側（図７における右側）の側面寄りに位置する場合、直線状の第１平面部３２のみを有する遮蔽部材３０′とすることができる。この遮蔽部材３０′を、その第１平面部３２が背面側吸気口２１ａにおける第１ヘッダー集合管１１ａ側の端部と第１ヘッダー集合管１１ａとの間に位置するように配置すれば、上記実施形態と同様の効果を奏する。この場合、遮蔽部材３０′における筐体２０側の端部は、筐体２０との間に隙間がほとんどできない程度に近接して配置される。このことは、第２ヘッダー集合管１１ｂ側の遮蔽部材３０′についても同様である。あるいは、図８に示すように、直線状の第２平面部３３のみを有する遮蔽部材３０′′とすることができる。この第２平面部３３を、露出部１２ａ及びヘッダー集合管１１ａ，１１ｂにおける筐体２０に面する側を被覆するように配置すれば、上記実施形態と同様の効果を奏する。この場合、遮蔽部材３０′′における筐体２０側の端部は、筐体２０との間に隙間がほとんどできない程度に近接して配置される。
【００４２】
また、上記実施形態では、遮蔽部材３０は、その上端を各ヘッダー集合管１１ａ，１１ｂの上端と略同じ位置とした例について示したが、この上端が筐体２０の天板の内側に至るまで延長され、当該天板の内側と固定されてもよい。
【符号の説明】
【００４３】
１０    熱交換器
１１ａ  第１ヘッダー集合管
１１ｂ  第２ヘッダー集合管
１２    伝熱管
１３    フィン
２０    筐体
２１ａ  背面側吸気口
２１ｂ  側面側吸気口
３０、３０′、３０′′  遮蔽部材
３１    囲繞部
３２    第１平面部
３３    第２平面部
３４    上面被覆部
３５    連結部
３６    櫛歯
３７    取付部
４０    保護部材
４１    保護部
５０    底板
６０    送風機
７０    仕切板
【図１】
0005891784.tif 000002
【図２】
0005891784.tif 000003
【図３】
0005891784.tif 000004
【図４】
0005891784.tif 000005
【図５】
0005891784.tif 000006
【図６】
0005891784.tif 000007
【図７】
0005891784.tif 000008
【図８】
0005891784.tif 000009